(57)【要約】【課題】加熱調理器の発信部から発信された赤外線信号が換気装置の受信部に到達する確率を著しく高め、確実に換気装置の連動動作が可能な加熱調理器を提供することを目的とする。【解決手段】加熱状態等を表示する液晶表示素子８と、加熱開始または加熱停止に連動して加熱調理器の上方に設置される換気装置１１を作動開始または作動停止させる赤外線信号を発信する発信部１０とを備えた加熱調理器において、前記発信部１０を前記液晶表示素子８の下方に配置して、前記赤外線信号が液晶表示素子８を透過して前記換気装置１１に到達するごとくした。【選択図】  図３
2004296284.tif 000002
【特許請求の範囲】
【請求項１】
加熱状態等を表示する液晶表示素子（８）と、加熱開始または加熱停止に連動して加熱調理器の上方に設置される換気装置（１１）を作動開始または作動停止させる赤外線信号を発信する発信部（１０）とを備えた加熱調理器において、
前記発信部（１０）を前記液晶表示素子（８）の下方に配置して、前記赤外線信号が液晶表示素子（８）を透過して前記換気装置（１１）に到達するごとくしたことを特徴とする加熱調理器。
【請求項２】
前記液晶表示素子（８）は前記発信部（１０）の赤外線信号の送信中には送信中を表す文字又は絵を表示するごとく構成したことを特徴とする請求項１記載の加熱調理器。
【発明の詳細な説明】
【０００１】
【発明の属する技術分野】
本発明は、上方に設置される換気装置と連動する加熱調理器に関するものである。
【０００２】
【従来の技術】
加熱調理器の加熱開始または加熱停止と連動して、加熱調理器の上方に設置される換気装置を作動開始または作動停止させる技術が知られている。この技術では、加熱調理器に赤外線信号の発信部を設け、換気装置に赤外線信号の受信部を設けている。
【０００３】
発受信部の構造には、発信部を加熱調理器の前面に設け、受信部を換気装置の前面に設けるものがあり、特許文献１等に開示されている例では、発信部を加熱調理器の前面の左側と右側の２箇所に設け、少なくとも１つの発信部の発光面を中央に向けて傾斜させたもの等が提案されている。
【０００４】
これらの提案はいずれも、加熱調理器の前面に設けた発信部から発信した赤外線信号を使用者等に当てて反射させ、反射した赤外線信号を上方に設置される換気装置の受信部で受信し、これにより加熱調理器の加熱開始または加熱停止と、換気装置の作動開始または作動停止とを連動させるものである。
【０００５】
この方式によると、発信部を水平なトッププレート上面に設けず、ほぼ垂直な前面に設けているので、発信部に煮汁等の汚れが付着しにくい、もしくは、発信部に遮蔽物が載ることがないため、発信部から発信された赤外線信号が受信部に到達しない確率を低減できるという利点がある。
【０００６】
一方、特許文献２や特許文献３に開示された例では、加熱調理器のトッププレート上面の隅部に赤外線信号を発信する発信部を設け、発信部から赤外線信号を直接上方に設置される換気装置の受信部に向けて発信するものである。
【０００７】
この方式によると、発信部をトッププレート上面の隅部に設けることにより、使用者が操作中に赤外線信号をさえぎるような可能性を低減している。さらに、赤外線信号の送受信の確実性を向上するために発信部を２箇所設けた例も開示されている。
【０００８】
【特許文献１】
特開２００２−１４７８０６号公報
【特許文献２】
特開平５−３２２１７２号公報
【特許文献３】
特開平１０−２０５８４０号公報。
【０００９】
【発明が解決しようとする課題】
前述したように、特許文献１等に開示されている従来の加熱調理器においては、発信部を加熱調理器の前面に設け、発信部から発信する赤外線信号を使用者等に当てて反射させることを期待し、この確率を上げるために様々な改良を行っているが、使用者の立ち位置や、衣類の種類により反射条件が様々に変化するため、条件が悪い場合には換気装置の受信部に赤外線信号が到達しないという問題があった。
【００１０】
特許文献２や特許文献３に開示されている従来の加熱調理器においては、加熱調理器のトッププレート上面の隅部に赤外線信号を発信する発信部を設け、発信部から赤外線信号を直接上方に設置される換気装置の受信部に向けて発信し、使用者が操作中に赤外線信号をさえぎるような可能性を低減するもので、赤外線信号の送受信の確実性を向上するために発信部を２箇所設けたものもあるが、発信部が水平なトッププレート上面に設けられているので、発信部に煮汁等の汚れが付着したり、もしくは、発信部に遮蔽物が載る場合があり、発信部から発信された赤外線信号が受信部に到達しない確率の低減には限界があった。
【００１１】
本発明は、前記課題を解決するものであり、加熱調理器の発信部から発信された赤外線信号が換気装置の受信部に到達する確率を著しく高め、確実に換気装置の連動動作が可能な加熱調理器を提供することを目的とする。
【００１２】
さらに、発信部の送信動作が阻害されていることを使用者に容易に気づかせ、確実に換気装置を動作させることのできる加熱調理器を提供することを目的とする。
【００１３】
【課題を解決するための手段】
上記課題を解決するために本発明では、加熱状態等を表示する液晶表示素子と、加熱開始または加熱停止に連動して加熱調理器の上方に設置される換気装置を作動開始または作動停止させる赤外線信号を発信する発信部とを備えた加熱調理器において、前記発信部を前記液晶表示素子の下方に配置して、前記赤外線信号が液晶表示素子を透過して前記換気装置に到達するごとくしたものである。
【００１４】
【発明の実施の形態】
本発明は、前述のように、加熱状態等を表示する液晶表示素子と、加熱開始または加熱停止に連動して加熱調理器の上方に設置される換気装置を作動開始または作動停止させる赤外線信号を発信する発信部とを備えた加熱調理器において、前記発信部を前記液晶表示素子の下方に配置して、前記赤外線信号が液晶表示素子を透過して前記換気装置に到達するごとくしたものである。
【００１５】
これにより、加熱調理器の発信部から発信された赤外線信号が換気装置の受信部に到達する確率を著しく高め、確実に換気装置の連動動作が可能な加熱調理器を提供することができる。
【００１６】
さらに、前記液晶表示素子は前記発信部の赤外線信号の送信中には送信中を表す文字又は絵を表示するごとく構成したので、発信部の送信動作が阻害されていることを使用者に容易に気づかせ、確実に換気装置を動作させることのできる加熱調理器を提供することができる。
【００１７】
【実施例】
以下、本発明の一実施例を図面に基づいて説明する。
図１は本発明の一実施例の加熱調理器の概略外観図、図２は本発明の一実施例の加熱調理器の表示部を示す図、図３は本発明の一実施例の加熱調理器の主要部の構成と換気装置を示す概略図である。
【００１８】
本実施例は、加熱部として誘導加熱用の加熱部を二口と、グリル部を一つ備えた加熱調理器である。尚、加熱部の構成はこれに限るものではなく、誘導加熱用の加熱部は一口でも、三口以上でもよく、また、誘導加熱用の加熱部の全部または一部がヒーター式の加熱部等でもよく、また、グリル部は無くてもよい。
【００１９】
図１、図２、および図３において、１は加熱調理器本体である。２はトッププレートで、加熱調理器本体１の上面に配置され、透明な耐熱強化ガラス等で形成され、上に加熱される鍋等の負荷（図示せず）が載置される。
【００２０】
３は加熱部で、左右に二口あり、トッププレート２下方の加熱調理器本体１内部に配置され、上方のトッププレート２上に載置される負荷を誘導加熱する。４はグリル部で、加熱調理器本体１の下部左側に配置され、魚等を焼く。
【００２１】
５は操作部で、加熱調理器本体１の前面右側に配置され、二つの加熱部３、グリル部４の加熱状態等の設定操作を行う。
【００２２】
６は表示部で、左右二つの加熱部３に対応して左右二つあり、トッププレート２の手前側下方に配置され、各加熱部３の加熱状態や火力等を表示するものであり、次記する要素で構成されている。
【００２３】
７は火力表示部で、表示部６の構成要素であり、１２個のＬＥＤ（発光ダイオード）と火力の段階の目安表示（「強火」、「中火」、「弱火」、「とろ火」）で構成され、点灯するＬＥＤの数を変化させて１２段階の火力を表す。
【００２４】
８は液晶表示素子で、表示部６の構成要素であり、透過型で、加熱状態等を表示する。液晶表示素子８は設定火力表示（数字表示）と、図示しない温度検出手段により加熱部３近傍のトッププレート２の温度が高温であることを検出した場合、使用者への高温注意等の注意表示（「高温中」）を行い、さらに、後記発信部１０の赤外線信号の送信中には、送信中を表す「送信中」の文字を表示する（図２参照）。
【００２５】
９は発光部で、表示部６の構成要素であり、液晶表示素子８の下方に配置し、ＬＥＤ等で形成され、発光して下方から液晶表示素子８を照射することにより、液晶表示素子８の表示内容を確認できるようにする。
【００２６】
１０は発信部で、左右二つの表示部６に対応して左右二つあり、液晶表示素子８の下方で発光部９の近傍に配置され、加熱開始または加熱停止に応じて、後記換気装置１１の後記受信部１２に後記換気装置１１を作動開始または作動停止させる赤外線信号を発信する。この発信部１０から発信される赤外線信号は、上方の液晶表示素子８を透過し、さらにトッププレート２を透過して、後記換気装置１１に到達する。
【００２７】
１１は換気装置で、加熱調理器の上方に設置され、加熱調理器の発信部１０から送信される赤外線信号に連動して作動開始または作動停止し、作動により内蔵された換気ファン（図示せず）が駆動され、加熱調理器で加熱される負荷（図示せず）から発生する煙等を室外に排気する。
【００２８】
１２は受信部で、換気装置１１の手前側中央等に備えられ、加熱調理器の発信部１０から発信される赤外線信号を受信する。
【００２９】
以上の構成において、全体の動作について、図を参照して説明する。
使用者が負荷（図示せず）を右の加熱部３上方のトッププレート２上に載置し、操作部５で右の加熱部３の火力を設定する操作を行うと、右の加熱部３は加熱を開始すると共に、右の発信部１０から換気装置１１を作動開始させる赤外線信号が発信される。
【００３０】
この右の発信部１０は加熱調理器本体１の上面に配置されたトッププレート２の手前側下方に配置された右の表示部６の液晶表示素子８（以後、右の液晶表示素子８という。）の下方に配置されており、発信部１０から発信される赤外線信号は、透過型の液晶表示素子８と透明なトッププレート２を透過し、加熱調理器の上方に設置される換気装置１１の方向に向う（図３参照）。
【００３１】
また、前記右の加熱部３の火力の設定操作と同時に、右の表示部６の発光部９が発光して下方から右の液晶表示素子８を照射するので、右の液晶表示素子８の表示内容が視認できるようになり、右の液晶表示素子８は前記右の発信部１０の赤外線信号の送信中には、送信中を表す「送信中」の文字を表示する（図２参照）。なお、本実施例では「送信中」の文字を表示させているが、送信中をイメージできる絵表示を用いても良い。
【００３２】
そして、換気装置１１の手前側中央等に設けられた受信部１２で前記右の発信部１０から送信された作動開始の赤外線信号を受信すると、換気装置１１は作動して内蔵した換気ファン（図示せず）の駆動を開始し、換気が行われる。
【００３３】
前記右の発信部１０からの赤外線信号の送信が終了すると、右の液晶表示素子８は送信中を表す「送信中」の文字の表示を停止する。
【００３４】
また、右の液晶表示素子８は設定火力表示（数字表示）と、図示しない温度検出手段により右の加熱部３近傍のトッププレート２の温度が高温であることを検出した場合、使用者への高温注意等の注意表示（図２における「高温中」）を行う。
【００３５】
さらに、前記右の加熱部３の火力の設定操作と同時に、右の表示部６の火力表示部７には設定された火力までのＬＥＤが点灯し、現在の火力が直感的に確認できるようにしている。
【００３６】
これに対し、使用者が操作部５を操作して右の加熱部３の加熱を停止させた場合には、加熱調理器の右の発信部１０から換気装置１１を作動停止させる赤外線信号が発信される。
【００３７】
右の加熱部３の加熱が停止されると、右の表示部６の火力表示部７のＬＥＤは全て消灯し、右の液晶表示素子８においては、送信中を表す「送信中」の文字を表示し、設定火力表示は無表示状態となり、高温注意表示は点灯のまま継続する。
【００３８】
このとき、右の表示部６の発光部９は点滅して、下方から右の液晶表示素子８を断続的に照射するので、該液晶表示素子８を見れば、一目で加熱停止しているが、高温注意警告が継続中であることが確認できるようになっている。
【００３９】
前記右の発信部１０からの赤外線信号の送信が終了すると、右の液晶表示素子８は送信中を表す「送信中」の文字の表示を停止する。
【００４０】
換気装置１１は加熱調理器の右の発信部１０から換気装置１１を作動停止させる赤外線信号を受信部１２で受信し、内蔵した換気ファン（図示せず）の駆動を停止し、換気が終了する。
【００４１】
その後、図示しない温度検出手段により右の加熱部３近傍のトッププレート２の温度が所定の温度まで低下すると、右の表示部６の発光部９が消灯し、該液晶表示素子８の表示内容は見えなくなる。
【００４２】
以上のように、使用者は加熱調理器の操作のみを行えば、換気装置１１が自動的に作動開始及び作動停止する。
【００４３】
ところで、液晶表示素子８では様々な加熱状態が表示されるため、使用者は調理中に頻繁に液晶表示素子８の表示内容を確認して調理を行う。このため、液晶表示素子８すなわち発信部１０を遮蔽するような汚れが付いた状態や、液晶表示素子８すなわち発信部１０上に遮蔽物、例えば布巾等を置いて調理するということは、調理が困難となるためほとんど行われず、視認可能なレベルの清掃状態が維持されることが期待できる。
【００４４】
従って、換気装置１１を作動開始または作動停止させる赤外線信号を発信する発信部１０を液晶表示素子８の下方に配置したので、発信部１０の上方は常にクリアな状態に維持され、赤外線信号を換気装置１１にほぼ確実に到達させることができる。
【００４５】
以上の動作の説明においては、右の加熱部３、右の表示部６、右の発信部１０における動作を説明したが、左の加熱部３、左の表示部６、左の発信部１０における動作についても同様のため、説明を割愛する。
【００４６】
【発明の効果】
以上述べたように、本発明によれば、加熱状態等を表示する液晶表示素子と、加熱開始または加熱停止に連動して加熱調理器の上方に設置される換気装置を作動開始または作動停止させる赤外線信号を発信する発信部とを備えた加熱調理器において、前記発信部を前記液晶表示素子の下方に配置して、前記赤外線信号が液晶表示素子を透過して前記換気装置に到達するごとくしたものである。
【００４７】
これにより、液晶表示素子が視認可能なレベルの清掃状態が維持されることが期待でき、発信部の上方が常にクリアな状態に維持されるので、加熱調理器の発信部から発信された赤外線信号が換気装置の受信部に到達する確率を著しく高め、確実に換気装置の連動動作が可能な加熱調理器を提供することができるという効果を奏する。
【００４８】
また、発信部を液晶表示素子の下方に配置するので、液晶表示素子照射用の発光部と統合した構成にすることができ、トッププレート部において特に発信部用のスペースを設ける必要がなくなり、デザイン的にすっきりすることができ、且つ安価に実現できるという効果も奏する。
【００４９】
さらに、前記液晶表示素子は前記発信部の赤外線信号の送信中には送信中を表す文字又は絵を表示するごとく構成したので、発信部の送信動作が阻害されていることを使用者に容易に気づかせ、確実に換気装置を動作させることのできる加熱調理器を提供することができるという効果を奏する。
【図面の簡単な説明】
【図１】本発明の一実施例の加熱調理器の概略外観図である。
【図２】本発明の一実施例の加熱調理器の表示部を示す図である。
【図３】本発明の一実施例の加熱調理器の主要部の構成と換気装置を示す概略図である。
【符号の説明】
８  液晶表示素子
１０  発信部
１１  換気装置
【図１】
2004296284.tif 000003
【図２】
2004296284.tif 000004
【図３】
2004296284.tif 000005